(57)【特許請求の範囲】
【請求項１】
長手方向にスリット孔を有する第１連動部材と、
該第１連動部材の長手方向と直交する方向に配設され、長溝を有する第２連動部材と、
前記第１連動部材と前記第２連動部材とを回動可能に内部に架設する枠体と、
前記枠体の下部を蓋閉する内底面を有する底板と、
前記スリット孔と前記長溝とに挿通され、前記第２連動部材に傾動可能に軸支される操作軸と、
該操作軸の操作によって前記第１連動部材と前記第２連動部材とを介して操作可能な前記枠体に取り付けられた複数個の電気部品と、
前記枠体の内部に位置する前記操作軸の先端部に支持され、球面部を有する操作体とを備え、
前記操作軸と、前記操作体との間に介挿した復帰バネの弾性力で前記球面部が前記底板の内底面に弾接され、前記操作体の前記球面部の曲率半径の中心点が、ほぼ前記操作軸の傾動中心に位置するように配設されていることを特徴とする多方向入力装置。
【請求項２】
長手方向にスリット孔を有する第１連動部材と、
該第１連動部材の長手方向と直交する方向に配設され、長溝を有する第２連動部材と、
前記第１連動部材と前記第２連動部材とを回動可能に内部に架設する枠体と、
前記枠体の下部を蓋閉する内底面を有する底板と、
前記スリット孔と前記長溝とに挿通され、前記第２連動部材に傾動可能に軸支される操作軸と、
該操作軸の操作によって前記第１連動部材と前記第２連動部材とを介して操作可能な前記枠体に取り付けられた複数個の電気部品と、
前記枠体の内部に位置する前記操作軸の先端部に支持され、球面部を有する操作体と、
前記操作体の前記球面部が当接され、前記枠体内に配設された保持基板とを備え、
前記保持基板と前記底板との間に介挿した復帰バネの弾性力で前記球面部と前記保持基板とを弾接し、前記操作体の前記球面部の曲率半径の中心点が、ほぼ前記操作軸の傾動中心に位置するように配設されていることを特徴とする多方向入力装置。
【請求項３】
前記復帰バネが前記操作軸内に収納され、前記操作体の前記球面部が前記底板に弾接されていることを特徴とする請求項１記載の多方向入力装置。
【請求項４】
前記操作体の前記球面部に円形に形成された凹部、又は平坦部を備えていることを特徴とする請求項１、２又は３記載の多方向入力装置。
【請求項５】
前記操作体の前記球面部に円形に形成された凹部を備えると共に、前記底板の前記内底面の前記球面部の前記凹部と当接する位置に円形に形成された膨出部を備えていることを特徴とする請求項１、又は３記載の多方向入力装置。
【請求項６】
長手方向にスリット孔を有する第１連動部材と、
該第１連動部材の長手方向と直交する方向に配設され、長溝を有する第２連動部材と、
前記第１連動部材と前記第２連動部材とを回動可能に内部に架設し、下壁を有する枠体と、
前記スリット孔と前記長溝とに挿通され、前記第２連動部材に傾動可能に軸支される操作軸と、
該操作軸の操作によって前記第１連動部材と前記第２連動部材とを介して操作可能な前記枠体に取り付けられた複数個の電気部品と、
前記枠体の下壁に対向して配設された保持基板と、
前記保持基板と前記下壁との間に介挿した復帰バネとを備え、
前記第１連動部材の両端部側に配設され、前記第１連動部材の回動中心と同心円状に形成された半円板状の保持部と、前記第２連動部材の両端部側に配設され、前記第２連動部材の回動中心と同心円状に形成された半円板状の保持部とが形成され、前記保持基板が前記両保持部に前記復帰バネの弾性力で弾接されていることを特徴とする多方向入力装置。
【請求項７】
前記第１連動部材の前記保持部と前記第２連動部材の前記保持部の外周部とに凹部、又は平坦部を備えていることを特徴とする請求項６記載の多方向入力装置。
【発明の詳細な説明】
【０００１】
【発明の属する技術分野】
本発明は、多方向入力装置に係わり、操作軸を操作することによって、複数個の電気部品を同時に操作することのできる多方向入力装置に関する。
【０００２】
【従来の技術】
従来から、例えば、四チャンネルのホームシアター装置やカーオーディオ装置などの前後左右に配置された四つのスピーカのバランスコントローラとして多方向入力装置が用いられている。
ここで、従来の多方向入力装置について、図面を用いて説明する。
図１７は、従来の多方向入力装置を示す縦断面図、図１８は、従来の多方向入力装置を示す横断面図である。
【０００３】
図１７、図１８に示すように、ケーシング１１の上壁１１ａには、自在軸受け１２を介して操作レバー１３の支持部１３ａが支持されており、操作レバー１３は任意の方向に所定角度傾倒可能である。
【０００４】
ケーシング１１の内部には、ほぼＵ字状の第１アーム１４と、第２アーム１５とが略十字状に配設されており、第１アーム１４は、Ｙ軸方向（図１８の上下方向）に沿うＹ軸の軸芯回りに回動自在で、第２アーム１５は、Ｘ軸方向（図１８の左右方向）に沿うＸ軸の軸芯回りに回動自在である。即ち、第１アーム１４は、ケーシング１１の側壁１１ｂを貫通するピン１６によって一端部を回動自在に支持され、他端部をケーシング１１の側壁１１ｂの外面側に取り付けられた第１可変抵抗器１７から外方に突出してケーシング１１の側壁１１ｂを貫通する所定角度回動自在な入力軸１８に固定している。
【０００５】
また、第２アーム１５は、ケーシング１１の側壁１１ｂを貫通するピン１９によって一端部を回動自在に支持され、他端部をケーシング１１の側壁１１ｂの外面側に取り付けられた第２可変抵抗器２０から外方に突出してケーシング１１の側壁１１ｂを貫通する所定角度回動自在な入力軸２１に固定している。
【０００６】
また、第１アーム１４と第２アーム１５とには、長手方向に沿う長孔２２、２３がそれぞれ穿設されており、操作レバー１３の下端部は、長孔２２と、長孔２３との双方を貫通している。従って、操作レバー１３を任意方向に傾動（傾斜）させれば、操作レバー１３のＸ軸方向の傾動角度に応じて第１可変抵抗器１７の入力軸１８が回動し、且つ、操作レバー１３のＹ軸方向の傾動角度に応じて第２可変抵抗器２０の入力軸２１が回動する。
【０００７】
また、ケーシング１１の側壁１１ｂの外面側には、絶縁体から成る複数個のブラケット２４を介してアンプ基板２５が取り付けられており、アンプ基板２５には、集積回路等からなる増幅回路（図示せず）等が実装されている。
【０００８】
次に、この多方向入力装置の動作について説明する。
先ず、操作レバー１３を任意の方向に傾動（傾斜）させると、第１アーム１４がピン１６を中心として回動すると同時に、第２アーム１５がピン１９を中心として回動する。ここで第１アーム１４の回動角度は、操作レバー１３のＸ軸方向の傾動角度に対応しており、第１可変抵抗器１７の入力軸１８は、第１アーム１４と一体に回動する。従って、操作レバー１３のＸ軸方向の傾動角度に応じて第１可変抵抗器１７の抵抗値が変化する。
【０００９】
同様に、第２アーム１５の回動角度は、Ｙ軸方向の傾動角度に対応しており、第２可変抵抗器２０の入力軸２１は、第２アーム１５と一体に回動する。従って、操作レバー１３のＹ軸方向の傾動角度に応じて第２可変抵抗器２０の抵抗値が変化する。
即ち、操作レバー１３の傾斜のＸ、及びＹ成分を、この第１可変抵抗器１７と第２可変抵抗器２０との各抵抗値の変化によって検出し、四チャンネルのホームシアター装置やカーオーディオ装置などの前後左右に配置された四つのスピーカのバランスをコントロールすることが出来る。
【００１０】
【発明が解決しようとする課題】
しかしながら、従来の多方向入力装置では、上述の如く操作レバー１３の任意の方向への傾動によって、第１、第２可変抵抗器１７、２０の各抵抗値が変化するのだが、操作レバー１３の傾動による、その所望の各抵抗値をその状態で保持すること、即ち、操作レバー１３の傾動位置をその位置で保持することは、自在軸受け１２の作動トルクや、第１、第２可変抵抗器１７、２０の回動トルクが、操作レバー１３の軽い動作を行うためには、各トルクが軽く形成されていると、操作レバー１３が、操作レバー１３等の自重にて、容易に所望の傾動位置からずれ、各抵抗値が変化してしまうという問題がある。
【００１１】
また、操作レバー１３の傾動位置を確実に保持するために、自在軸受け１２と支持部１３ａとの間にグリスを塗布し、作動トルクを調整する、或いは、第１、第２可変抵抗器１７、２０内にトルク出し用の板バネを収納して、回動トルクを重く（高く）するとした場合には、上記の問題は解決されるものの、前者においては、寸法のバラツキ、塗布量のバラツキ等によって、作動トルクがバラツキ易いし、温度によって作動力が変化する。或いは、寿命によって作動トルクが変化してしまうというように安定した大きさの作動力が得られないという問題があり、後者においては、可変抵抗器１７、２０、の作動力のバラツキに起因して、傾動方向によって、作動力の値が異なり、よって、操作レバー１３の傾動操作の軽快さが損なわれるという問題がある。
【００１２】
また、従来の多方向入力装置では、第１、第２可変抵抗器１７、２０の各抵抗値のセンター位置（中心抵抗値）は、操作レバー１３がケーシング１１の上面から垂直に突出した状態であるときなのだが、操作レバー１３が確実に垂直に突出した状態であることを、目視によって、確認することは、ときとして困難なことがあり、よって、第１、第２可変抵抗器１７、２０の各抵抗値のセンター位置を確定し難いという問題がある。
【００１３】
【課題を解決するための手段】
本発明の多方向入力装置は、長手方向にスリット孔を有する第１連動部材と、第１連動部材の長手方向と直交する方向に配設され、長溝を有する第２連動部材と、第１連動部材と第２連動部材とを回動可能に内部に架設する枠体と、枠体の下部を蓋閉する内底面を有する底板と、スリット孔と長溝とに挿通され、第２連動部材に傾動可能に軸支される操作軸と、操作軸の操作によって第１連動部材と第２連動部材とを介して操作可能な枠体に取り付けられた複数個の電気部品と、枠体の内部に位置する操作軸の先端部に支持され、球面部を有する操作体とを備え、操作軸と、操作体との間に介挿した復帰バネの弾性力で球面部が底板の内底面に弾接され、操作体の球面部の曲率半径の中心点が、ほぼ操作軸の傾動中心に位置するように配設されていることである。
【００１４】
また、本発明の多方向入力装置は、長手方向にスリット孔を有する第１連動部材と、第１連動部材の長手方向と直交する方向に配設され、長溝を有する第２連動部材と、第１連動部材と第２連動部材とを回動可能に内部に架設する枠体と、枠体の下部を蓋閉する内底面を有する底板と、スリット孔と長溝とに挿通され、第２連動部材に傾動可能に軸支される操作軸と、操作軸の操作によって第１連動部材と第２連動部材とを介して操作可能な枠体に取り付けられた複数個の電気部品と、枠体の内部に位置する操作軸の先端部に支持され、球面部を有する操作体と、操作体の球面部が当接され、枠体内に配設された保持基板とを備え、保持基板と底板との間に介挿した復帰バネの弾性力で球面部と保持基板とを弾接し、操作体の球面部の曲率半径の中心点が、ほぼ操作軸の傾動中心に位置するように配設されていることである。
【００１５】
また、本発明の多方向入力装置は、復帰バネが操作軸内に収納され、操作体の球面部が底板に弾接されていることである。
【００１６】
また、本発明の多方向入力装置は、操作体の球面部に円形に形成された凹部、又は平坦部を備えていることである。
【００１７】
また、本発明の多方向入力装置は、操作体の球面部に円形に形成された凹部を備えると共に、底板の内底面の球面部の凹部と当接する位置に円形に形成された膨出部を備えていることである。
【００１８】
また、本発明の多方向入力装置は、長手方向にスリット孔を有する第１連動部材と、該第１連動部材の長手方向と直交する方向に配設され、長溝を有する第２連動部材と、第１連動部材と第２連動部材とを回動可能に内部に架設し、下壁を有する枠体と、スリット孔と長溝とに挿通され、第２連動部材に傾動可能に軸支される操作軸と、該操作軸の操作によって第１連動部材と第２連動部材とを介して操作可能な枠体に取り付けられた複数個の電気部品と、枠体の下壁に対向して配設された保持基板と、保持基板と下壁との間に介挿した復帰バネとを備え、第１連動部材の両端部側に配設され、第１連動部材の回動中心と同心円状に形成された半円板状の保持部と、第２連動部材の両端部側に配設され、第２連動部材の回動中心と同心円状に形成された半円板状の保持部とが形成され、保持基板が両保持部に復帰バネの弾性力で弾接されていることである。
【００１９】
また、本発明の多方向入力装置は、第１連動部材の保持部と第２連動部材の保持部の外周部とに凹部、又は平坦部を備えていることである。
【００２０】
【発明の実施の形態】
以下、本発明の多方向入力装置の第一の実施の形態について、図面を用いて説明する。
図１は、本発明の多方向入力装置の第一の実施の形態を示す分解斜視図、図２〜図５は、本発明の多方向入力装置の第２連動部材の第一の実施の形態を説明する図、図６〜図８は、本発明の多方向入力装置の操作軸の第一の実施の形態を説明する図、図９〜図１１は、本発明の多方向入力装置の操作体の第一の実施の形態を説明する図、図１２〜図１４は、本発明の多方向入力装置の動作を説明する図である。
【００２１】
先ず、本発明の多方向入力装置は、図１に示すように、鉄板等から成る枠体１が配設され、この枠体１は、プレス等で図示下方に折り曲げられた側板１ａ、１ｂ、１ｃ、１ｄを有し、内部が空洞で、下部が開放され、外形が略直方体に形成されている。また、枠体１の上部が上板１ｅで蓋閉され、この上板１ｅの中央部には、操作孔１ｆが形成されている。
【００２２】
前記側板１ｂ以外の３つの側板１ａ、１ｃ、１ｄには、それぞれ丸孔１ｇが形成され、更に、側板１ａと、この側板１ａに隣接する側板１ｃには、複数個の角穴（図示せず）が設けられている。また、側板１ａが対向する側の側板１ｂには、側板１ａの丸孔１ｇが対向する位置に略半円状の支持部１ｈが形成され、この支持部１ｈの図示左右に側板１ｂから外方に略直角に折り曲げられた脚部１ｊ、１ｊが形成されている。
このとき、側板１ａの丸孔１ｇの中心と、側板１ｂの略半円状の支持部１ｈの半円の中心とを結ぶ線と、側板１ｃ、１ｄのそれぞれ丸孔１ｇの中心とを結ぶ線とは、交点を有するように直交している。
【００２３】
また、相対向する側板１ｃ、１ｄのそれぞれの下部には、図示していないプリント配線基板等に本発明の多方向入力装置を取り付けるための複数個（例えば、４個）の取付端子１ｋが下方側に延出形成されている。
また、側板１ａ、１ｂの下方には、複数個（例えば、４個）の舌片１ｍが形成されている。
【００２４】
電気部品としての可変抵抗器３は、図１２に示すように、ケース３ａの内部にインサート成形等で一体形成された基板３ｂが配設され、摺動子片３ｃを取り付けた摺動子受け３ｄが基板３ｂに回転自在にスナップ係合等で取り付けられ、摺動子受け３ｄの回転中心には、縦溝と横溝とを組み合わせた係合溝３ｅが形成されている。
この可変抵抗器３は、前記枠体１の側板１ａ、１ｃの複数個の角穴（図示せず）にスナップ結合等で取り付けられている。
【００２５】
また、第１連動部材２は、例えば、リン青銅板等から成り、打ち抜き、折り曲げ加工され、アーチ状に上方側に湾曲形成され、このアーチ状部分の長手方向にスリット孔２ａが形成されている。
また、前記第１連動部材２の両端部が下方側に折り曲げられ、この折り曲げられた図示左側の一端部にはパイプ状の支持部２ｂが絞り加工等で突出形成され、この支持部２ｂが前記側板１ｄの丸孔１ｇに挿入されて回転可能に支持されるようになっている。
【００２６】
また、前記第１連動部材２の図示右側の他端部は、略Ｕ字状に折り曲げられてＵ字部２ｃが形成され、このＵ字部２ｃは、前記枠体１の側板１ｃに形成された丸孔（図示せず）に挿入され、この丸孔から外方に突出し、前記可変抵抗器３の摺動子受け３ｄの横溝と係合するようになっている。
前記第１連動部材２は、枠体１の側板１ｃ、１ｄのそれぞれの丸孔に橋渡しされ、アーチ状に形成された部分が枠体１内部で回動可能に架設されている。
【００２７】
そして、前記枠体１の側板１ｃの丸孔（図示せず）から外方に突出している第１連動部材２のＵ字部２ｃが、側板１ｃに取り付けられている可変抵抗器３の係合溝３ｅに係合し、前記第１連動部材２が回動すると可変抵抗器３の摺動子受け３ｄが回転して、可変抵抗器３の抵抗値が変化するようになっている。
【００２８】
操作軸４は、合成樹脂材料から成り、図６〜図８に示すように、小判形状に形成された摘み部４ａの根元部４ｂが円形に形成されている。この円形の根元部４ｂには、内部が空洞の筒部４ｃが一体に形成されている。
この筒部４ｃは、下方が開放され周囲が外壁で覆われて、内部に収納部４ｄが空洞状に形成され、図６に示す筒部４ｃの外壁に対向状態に平坦部４ｅ、４ｅが形成され、この平坦部４ｅ、４ｅの一部に、所定の径寸法と高さ寸法で小判形状の軸支部４ｆ、４ｆが凸状に突出形成されている。
【００２９】
前記収納部４ｄの内部には、摘み部４ａと同一軸心上に軸部４ｇが図示下方に延長して一体に形成され、この軸部４ｇの先端部４ｈが収納部４ｄより所定量だけ下方側に突出した状態になっている。
この操作軸４の摘み部４ａは、前記第１連動部材２のスリット孔２ａに挿通され、摘み部４ａ、及び根元部４ｂがスリット孔２ａに沿って移動可能になっている。
この操作軸４は、矢印ＡーＡ方向、即ち、第１連動部材２を回動させる方向、及び矢印Ｂ−Ｂ方向（図１参照）、即ち、第１連動部材２のスリット孔２ａに平行する方向に傾動可能になっている。そして、この操作軸４の傾動中心は、前記軸支部４ｆ、４ｆの回転中心と、後述する第２連動部材５の支持部５ｈ、５ｋの回転中心の交わる交点Ｇ２となる。
【００３０】
復帰バネ７は、上下の巻端部を有する所定の弾性力のコイルバネから成り、この復帰バネ７は、操作軸４の軸部４ｇに挿入され、収納部４ｄ内に配設される。
【００３１】
第２連動部材５は、合成樹脂材料から成り、成形加工され、前記第１連動部材２の下方側に第１連動部材２と直交する方向に配設されている。
この第２連動部材５は、図２に示すように、略中央部に外形が略矩形の支持部５ａが形成され、この支持部５ａは、周囲が横長と縦長の側壁５ｂで囲まれ、この側壁５ｂに囲まれた内側に略矩形の長溝５ｃが貫通形成されている。
【００３２】
前記支持部５ａの横長の側壁５ｂ、５ｂの所定位置には、操作軸４の軸支部４ｆ、４ｆが係合可能な係合部５ｄ、５ｄが貫通、或いは所定の深さで凹状に形成されている。また、図３に示す係合部５ｄの上方で横長の側壁５ｂ、５ｂの内面側のコーナー部には、所定寸法の面取り部５ｅ、５ｅがそれぞれ形成されている。この面取り部５ｅ、５ｅによって、操作軸４を第２連動部材５にスナップ係合によって軸支するときに、軸支部４ｆを係合部５ｄにスムーズに案内することが出来るようになっている。
【００３３】
前記支持部５ａからは、図３に示すように、左右の水平方向に第１、第２アーム部５ｆ、５ｇが、それぞれ延出形成されている。そして、一方に延出する第１アーム部５ｆには、所定の径寸法の支持部５ｈが形成され、この支持部５ｈから所定の幅寸法の板状の凸部５ｊが突出形成されている。
また、他方に延出する第２アーム部５ｇには、所定の径寸法の支持部５ｋが形成され、この支持部５ｋから上面が平坦状に形成され、下面が半円状に形成された凸部５ｍが突出形成されている。
【００３４】
前記第２連動部材５は、第１アーム部５ｆの支持部５ｈが、枠体１の側板１ａの丸孔１ｇに挿入されて回転可能に支持され、第２アーム部５ｇの支持部５ｋが、側板１ｂの半円状の支持部１ｈ内に位置されて、第２連動部材５は、回動可能で、且つ、一端部である凸部５ｍが上下動可能に枠体１内部に配設されるようになっている。
そして、第１アーム部５ｆの凸部５ｊが、側板１ａに取り付けられた可変抵抗器３の係合溝３ｅの縦溝と係合している。
【００３５】
この状態のとき、前記第１連動部材２の回動軸心と、前記第２連動部材５の回動軸心とが交点を有するように、直交して枠体１の内部に架設されている。
そして、前記第１、第２連動部材２、５がそれぞれ回動されるときの回動の中心点の交点は、前述の操作軸４の傾動中心Ｇ２と一致するようにしている。
【００３６】
この操作体６は、合成樹脂材料から成り、図９〜図１１に示すように、一方の端部側（下方側）には、外形が円形で、底面が所定の半径Ｒであるように球面状に形成された基部６ａを有し、この基部６ａの中央部に外方に向けて突出する筒状のボス部６ｂが突出形成され、このボス部６ｂの中央に軸孔６ｃが貫通して形成されている。
【００３７】
また、前記基部６ａは、底面であって、所定の半径Ｒであるように球面状に形成された球面部６ｄと、球面部６ｄの中央部で、且つ、貫通する軸孔６ｃの周囲に円形に形成された凹部６ｅとを備えている。この半径Ｒに形成された球面部６ｄの半径Ｒの中心点Ｇ１は、前記軸孔６ｃの軸心上にあるように球面部６ｄが形成されている。
また、前記ボス部６ｂは、先端部側に直径の小さな第１ボス部６ｆと、第１ボス部６ｆより直径の大きな第２ボス部６ｇと、第２ボス部６ｇより直径の大きな第３ボス部６ｈとを備えている。即ち、前記ボス部６ｂには、二段の段部が形成されている。
【００３８】
そして、前記操作体６は、操作軸４の先端部４ｈを軸孔６ｃに挿入すると共に、ボス部６ｂを筒部４ｃの収納部４ｄに移動可能に挿入させている。この状態のとき、操作軸４の軸心と、操作体６の軸孔６ｃの軸心とは、一致しており、よって、前記球面部６ｄの半径Ｒの中心点Ｇ１は、操作軸４の軸心上にある。そして、この球面部６ｄの半径Ｒの中心点Ｇ１は、前述した操作軸４の傾動の中心点：Ｇ２（図１２参照）と一致するように形成されている。なお、操作軸４の軸心線上に前記第２連動部材５の回転中心を形成しているので、操作軸４の軸心線と、前記操作軸４の前記第２連動部材５への軸支線との交点は、傾動の中心点：Ｇ２に位置している。
【００３９】
そして、前記復帰バネ７は、軸部４ｇに挿入されると共に、上下の巻端部が、筒部４ｃ内の収納部４ｄの天井面と、操作体６の第３ボス部６ｈ上面（段部）とにそれぞれ弾接して配設される。そして、摘み部４ａ側の一端部（上巻端側）は、筒部４ｃの内壁にガイドされ、他端部（下巻端側）は、第２ボス部６ｇの外壁にガイドされて、復帰バネ７の前後左右の動きが規制されるようになっている。
【００４０】
底板８は、合成樹脂材料から成り、外形が略矩形に形成され、周囲に側壁８ａが部分的に形成され、この側壁８ａの内部に全体が略平坦状であって、その中央部に外方に僅かに円形に膨出した膨出部８ｅ（図１２参照）を有する内底面８ｂが形成されている。
この底板８は、枠体１の下部を蓋閉するように配設され、このとき内底面８ｂに復帰バネ７の弾性力で操作体６が弾接されている。
【００４１】
また、底板８の一方側の側壁８ａからは、内底面８ｂと同一平面の底面８ｆと、底面８ｆと直交する平板状の一対の凸部８ｃとが突出形成されている。この凸部８ｃが形成された側壁８ａと隣り合う側壁８ａには、枠体１の側板１ｃ、１ｄの下方側の端部を位置決めするための複数個のＬ字状のガイド部８ｄが突出形成されている。
【００４２】
前記凸部８ｃに取り付けられる電気部品としての押釦スイッチ９は、内部のスイッチ回路（図示せず）をＯＮ（オン）／ＯＦＦ（オフ）することが出来るステム部９ａと、内部のスイッチ回路を密閉するケース９ｂと、このケース９ｂの側面から下方に延びる複数本の取付端子９ｃとが形成されている。
この押釦スイッチ９は、底面８ｆに載置され、このときと取付端子９ｃは、底面８ｆを挟み込み、跨るように凸部８ｃの両端部から外方に突出されている。
即ち、このように押釦スイッチ９は、底板８の凸部８ｃに取付端子９ｃがスナップ係合等で仮止めすることが出来るようになっている。
【００４３】
この押釦スイッチ９は、底面８ｆと枠体１の脚部１ｊ、１ｊとによって挟み込まれている。
また、押釦スイッチ９のステム部９ａ上には、前記第２アーム部５ｇの凸部５ｍが位置するようになっている。
【００４４】
次に、本発明の多方向入力装置の組み立てについて説明する。
先ず、枠体１の開放された下部側からアーチ状の第１連動部材２を挿入し、側板１ｃの丸孔（図示せず）にＵ字部２ｃを挿入すると共に、側板１ｄの丸孔１ｇに支持部２ｂを挿入して、第１連動部材２を枠体１内部に架設して取り付ける。
【００４５】
次に、操作軸４の筒部４ｃを第２連動部材５の略矩形の支持部５ａ内に挿入し、凸状の軸支部４ｆを側壁５ｂの面取り部５ｅに位置させる。この状態で、操作軸４を図示しない治具等で下方の長溝５ｃに押圧すると、側壁５ｂが弾性変形して外方に押し広げられ、凸状の軸支部４ｆが側壁５ｂの凹状の係合部５ｄにスナップ係合し、操作軸４の筒部４ｃを第２連動部材５の長溝５ｃ内に軸支する。
【００４６】
即ち、操作軸４の筒部４ｃの平坦部４ｅから成る外壁を、第２連動部材５の支持部５ａ内に保持して、操作軸４を第２連動部材５に軸支する。
次に、軸支部４ｆの小判形状の両側の直線部と、円形の係合部５ｄとで形成されるスペースにグリス（図示せず）を注入して、操作軸４と第２連動部材５との間での操作軸４の回動動作にキシミ等の不具合が発生しないようにしている。
【００４７】
次に、前記第２連動部材５に軸支した操作軸４の摘み部４ａを第１連動部材２のスリット孔２ａに挿通させると共に、枠体１の操作孔１ｆから外方に突出させ、円形の根元部４ｂをスリット孔２ａに位置させる。
そして、第２連動部材５の第１アーム部５ｆの支持部５ｈを枠体１の側板１ａの丸孔１ｇに挿入して、先端部の凸部５ｊを側板１ａから外方に突出させると共に、第２アーム部５ｇの支持部５ｋを枠体１の側板１ｂの支持部１ｈに位置させる。
【００４８】
次に、第１と第２連動部材２、５を架設した枠体１を逆さにし、開放された下部を上向きにする。そして、逆さになった操作軸４の先端部４ｈに復帰バネ７を挿入し、筒部４ｃの収納部４ｄに復帰バネ７を収納する。
次に、操作体６の軸孔６ｃを操作軸４の先端部４ｈに挿入すると、操作体６のボス部６ｂが操作軸４の筒部４ｃ内に移動可能に嵌合する。そして、操作体６のボス部６ｂの段部には、復帰バネ７に弾接する。
【００４９】
前記逆さにした枠体１に、部品取付部８ｃに押釦スイッチ９を仮止めした底板８を逆さにして取り付ける。すると、Ｌ字状のガイド部８ｄ、８ｄに側板１ｃの端部が案内されて枠体１が底板８に位置決めされると共に、押釦スイッチ９のケース９ｂの上面に、側板１ｂの脚部１ｊ、１ｊが位置して、押釦スイッチ９は、脚部１ｊ、１ｊと、平板状の凸部８ｃとによって挟持・位置決めされ、押釦スイッチ９が底板８に固定される。
【００５０】
そして、枠体１の側板１ａ、１ｂに形成されている複数個の舌片１ｍを底板８の裏面側にカシメると、枠体１に底板８が一体化され、操作体６が底板８に弾接して、図１２に示すように操作軸４が直立の中立状態になる。
次に、側板１ａから突出する第２連動部材５の凸部５ｊに可変抵抗器３の操作部３ｅを位置合わせし、側板１ａに形成されている複数個の角穴（図示せず）に可変抵抗器３をスナップ係合させる。
【００５１】
また、側板１ｃから外方に突出する第１連動部材２のＵ字部２ｃに、前述と同様に可変抵抗器３を位置合わせし、側板１ｃに可変抵抗器３を取り付けて本発明の多方向入力装置の組立が終了する。
この組立によって、枠体１の内部に架設される前記第１連動部材２の回動軸心と、前記第２連動部材５の回動軸心とは交点Ｇ２を有するように、直交して配設されると共に、前記操作体６の前記球面部６ｄの中心点Ｇ１と、前記交点Ｇ２とが一致するように配設されている。
前述の組立では、第１と第２連動部材２、５を枠体１に取付た後に、可変抵抗器３から成る電気部品を枠体１に取り付ける工程で説明したが、第１と第２連動部材２、５を枠体１に取付る前に、可変抵抗器３を枠体１に取り付けても良い。
【００５２】
次に、本発明の多方向入力装置の動作について説明する。
先ず、操作軸４の摘み部４ａに操作力が加わっていない無負荷のときは、図１２に示すように復帰バネ７の弾性力によって、操作体６の球面部６ｄの凹部６ｅが底板８の内底面８ｂの膨出部８ｅに弾接されて、基部６ａの略球面状の球面部６ｄの中央部の凹部６ｅが水平状態になると共に、操作軸４が直立の中立状態になっている。
この中立状態の操作軸４の摘み部４ａに、第１連動部材２のスリット孔２ａと平行な矢印Ｂ方向（図１２参照）の操作力を加えて、操作軸４を傾動させると、第２連動部材５が第１と第２アーム部５ｆ、５ｇのそれぞれの支持部５ｈ、５ｋを中心として回動すると共に、操作軸４は、交点Ｇ２を中心として回動し、図１３に示すように操作体６の基部６ａの底面が底板８の内底面８ｂ上を摺接移動し、基部６ａの球面部６ｄの外周部側の一部が底板８の内底面８ｂの膨出部８ｅ上に位置して、操作体６が傾斜する。
【００５３】
この状態のとき、操作体６は、復帰バネ７の弾性力によって、基部６ａの球面部６ｄの外周部側の一部が底板８の内底面８ｂの膨出部８ｅ上に弾圧されるが、復帰バネ７の収縮率は、基部６ａの球面部６ｄが半径Ｒの球面状（回動中心点Ｇ２＝Ｇ１から所定の半径Ｒを有する）であることから、前述の操作軸４が直立の中立状態のときの復帰バネ７の収縮率とほぼ同じ収縮率を維持し、復帰バネ７の弾性力はほぼ一定で安定した状態でいる。
【００５４】
前記操作軸４を傾動させて第２連動部材５が回動すると、第１アーム部５ｆの凸部５ｊが係合している可変抵抗器３の摺動子受け３ｄが回転して、可変抵抗器３の抵抗値が変化する。
そして、側板１ａに取り付けられている可変抵抗器３の操作が終了して、操作軸４に加えていた操作力を解除すると、この状態の復帰バネ７の収縮率は、操作軸４が直立の中立状態のときの復帰バネ７の収縮率とほぼ同じであることから、復帰バネ７によって、ほぼ一定の弾性力で、操作体を底板に付勢出来ることから、操作軸に適度な抗力を与えることが出来、センター位置に戻ることはなく、よって、操作軸４が矢印Ｂ方向に傾動された状態に維持される。
【００５５】
また、中立状態の操作軸４に、第１連動部材２のスリット孔２ａに直交する矢印Ａ方向（図１４参照）の操作力を加えて、操作軸４を傾動させると、第１連動部材２が支持部２ｂとＵ字部２ｃとを中心として回動する。この第１連動部材２が回動すると、側板１ｃに取り付けられ、Ｕ字部２ｃが係合している可変抵抗器３の摺動子受け３ｄが回転して、可変抵抗器３の抵抗値が変化する。
そして、側板１ｃに取り付けられている可変抵抗器３の操作が終了して、操作軸４に加えていた操作力を解除すると、前述と同様にこの状態の復帰バネ７の収縮率は、操作軸４が直立の中立状態のときの復帰バネ７の収縮率とほぼ同じであることから操作軸４が矢印Ａ方向に傾動された状態に維持される。
【００５６】
上述の如く、操作軸４のそれぞれ矢印Ａ、Ｂ方向への傾動によって、各可変抵抗器３、３が操作され、各抵抗値が得られるが、この操作軸４の傾動方向は、これに限定されず、任意の方向への傾動であっても、各可変抵抗器３、３が操作され、各抵抗値が得られるように動作するものである。
【００５７】
次に、押釦スイッチ９の操作は、図１４に示す中立状態の操作軸４を矢印Ｃ方向の下方に加重を加えて押圧する。すると、操作軸４が下方に押圧・移動され、この操作軸４の移動によって、前記枠体１の側板１ａの丸孔１ｇに挿入されている第２連動部材５の第１アーム部５ｆの支持部５ｈを支点として、側板１ｂの略半円状の支持部１ｈ内に配設された第２アーム部５ｇが下方側に移動する。すると、枠体１の支持部１ｈから外方に突出している一端部の凸部５ｍが押釦スイッチ９のステム部９ａを押圧して押釦スイッチ９のＯＮ／ＯＦＦ操作をすることが出来る。
【００５８】
前記操作軸４の矢印Ｃ方向への押圧は、操作軸４が中立状態だけではなく、操作軸４を傾動させて、可変抵抗器３の抵抗値が所定の値になった時点で押圧することが出来るようになっている。
この押釦スイッチ９のＯＮ／ＯＦＦ操作によって、例えば、各可変抵抗器３、３の所定の各抵抗値を記憶、又は記憶解除させておくことが出来るように機能させる。
【００５９】
本発明の多方向入力装置の実施の形態では、操作軸４の筒部４ｃの外壁の一部に形成した軸支部４ｆを、第２連動部材５の長溝５ｃ内の係合部５ｄに係合させて、操作軸４を第２連動部材５に傾動可能に軸支した物で説明したが、操作軸４を第２連動部材５に、例えば丸ピン（図示せず）等で軸支して、操作軸４を第２連動部材５に軸支するようにした物でも良い。即ち、本発明の多方向入力装置のは、軸支部４ｆ、或いは係合部５ｄの形状等に関係なく、操作軸４の筒部４ｃを第２連動部材５の長溝５ｃ内に軸支するようにしたものであれば良い。
【００６０】
また、操作軸４の軸支部４ｆを凸状に形成し、第２連動部材５の係合部５ｄを凹状に形成した物で説明したが、軸支部４ｆを凹状に、係合部５ｄを凸状に形成した物でも良い。
また、前記操作体６の前記球面部６ｄの中央部に円形に形成された凹部６ｅを形成した物で説明したが、凹部６ｅを平坦状の平坦部に形成した物でも良い。
また、複数個の電気部品を、可変抵抗器３と、押釦スイッチ９とで説明したが、その他の回転操作が可能な、例えば、デジタルスイッチや、エンコーダなどの電気部品、或いはプッシュ操作が可能な電気部品であればかまわない。
【００６１】
また、操作軸４の筒部４ｃを周囲が囲まれた筒状の物で説明したが、軸支部４ｆが形成されている部分以外は開放された物でも良い。この場合は、軸支部４ｆを第２連動部材５の係合部５ｄにスナップ係合させる組立作業時に、軸支部４ｆが弾性変形し易くなり、スナップ係合の作業性が良くなる。
【００６２】
また、本発明の多方向入力装置の実施の形態では、操作軸４、底板８を合成樹脂材料で形成したが、強度や、寿命による削れ防止等の問題から、ダイカスト等の金属材料で形成しても良い。
【００６３】
次に、本発明の多方向入力装置の第二の実施の形態について図面を用いて説明する。
図１５は、本発明の多方向入力装置の第二の実施の形態を示す分解斜視図、図１６は、本発明の多方向入力装置の第二の実施の形態を示す要部断面図である。
【００６４】
この本発明の第二の実施の形態の多方向入力装置は、図１５に示すように、鉄板等から成る枠体３１が配設され、この枠体３１は、プレス等で図示上方に折り曲げられた側板３１ａ、３１ｂ、３１ｃ、３１ｄを有し、内部が空洞で、上部が開放され、外形が略直方体に形成されている。また、枠体３１の下部が下板３１ｅで蓋閉されている。
【００６５】
前記側板３１ｂ以外の３つの側板３１ａ、３１ｃ、３１ｄには、それぞれ丸孔３１ｆが形成され、更に、側板３１ａ、３１ｃには、後述する電気部品である可変抵抗器３３を取り付けるための複数個の角穴（図示せず）が設けられている。また、側板３１ａが対向する側の側板３１ｂには、側板３１ａの丸孔３１ｆが対向する位置に略長円状の長円孔３１ｇが形成され、この長円孔３１ｇの図示下方に側板３１ｂから外方に略直角に折り曲げられた部品押さえための脚部３１ｈが形成されている。
【００６６】
前記枠体３１の空洞内部には、例えば、合成樹脂材料等から成る第１連動部材３２が配設されている。そして、この第１連動部材３２は、成形加工等でアーチ状に上方側に湾曲形成され、このアーチ状部分の長手方向にスリット孔３２ａが形成されている。
【００６７】
また、前記第１連動部材３２の両端部には、それぞれ下方側に延設された所定の半径：Ｒ１（図１５参照）である半円板状の保持部となる半円板部３２ｃ、３２ｃが形成され、この延設された半円板部３２ｃ、３２ｃの中心部（回動中心）であって、図示左右両側の外方には円柱状の支持部となる凸柱部３２ｂ、３２ｂが成形加工で突出形成され、この凸柱部３２ｂ、３２ｂが対向する前記側板３１ｃ、３１ｄの各丸孔３１ｆに挿入されて回転可能に支持されるようになっている。  このことから、前記半円板状（半径：Ｒ１）の半円板部３２ｃ、３２ｃは、凸柱部３２ｂ、３２ｂの軸心を中心に回動するように形成され、この凸柱部３２ｂ、３２ｂの回動によって、スリット孔３２ａが共に回動するように形成されている。
【００６８】
また、図示右側の前記凸柱部３２ｂの先端部には、凸柱部３２ｂから延設された部品操作部となる凸部３２ｄが形成され、この凸部３２ｄは、前記枠体３１の側板３１ｃに形成された丸孔（図示せず）に挿入され、この丸孔から外方に突出し、後述する可変抵抗器３３の摺動子受け（図示せず）の横溝（図示せず）と係合するようになっている。
前記第１連動部材３２は、枠体３１の側板３１ｃ、３１ｄのそれぞれの丸孔に橋渡しされ、アーチ状に形成された部分が枠体３１内部で回動可能に架設されている。
また、前記枠体３１の側板３１ａと、この側板３１ａに隣接する側板３１ｃに設けられた複数個の角孔（図示せず）には電気部品である、例えば可変抵抗器３３、３３がスナップ結合等で取り付けられている。
【００６９】
前記可変抵抗器３３は、前述の第一の実施の形態の可変抵抗器３とほぼ同様の構成であることからここでの説明は省略する。
そして、前記枠体３１の側板３１ｃの丸孔（図示せず）から外方に突出している第１連動部材３２の凸部３２ｄが、側板３１ｃに取り付けられている可変抵抗器３３の操作部（図示せず）に係合し、前記第１連動部材３２が回動すると可変抵抗器３３の摺動子受け（図示せず）が回転して、可変抵抗器３３の抵抗値が変化するようになっている。
【００７０】
前記第１連動部材３２のスリット孔３２ａには、操作軸３４の略平板状の摘み部３４ａが挿通され、摘み部３４ａがスリット孔３２ａに沿って移動可能になっている。このような操作軸３４は、合成樹脂材料から成り、成形加工され、前記摘み部３４ａの一方の端部（図示下側）に略半円板状の保持部となる円弧部３４ｂを有し、該円弧部３４ｂには丸孔３４ｃが形成されている。
【００７１】
前記第２連動部材３５は、合成樹脂材料から成り、成形加工され、前記第１連動部材３２の下方側に第１連動部材３２と直交する方向に配設されている。
この第２連動部材３５は、略中央部に外形が略蒲鉾状の基部３５ａが形成され、この基部３５ａには、略矩形の長溝３５ｂと、長溝３５ｂに直交し、貫通する丸孔３５ｃとが形成されている。
【００７２】
また、基部３５ａの両端部からは、それぞれ外方（図示左右方向）に突出された円柱状の第１、第２アーム部３５ｄ、３５ｅが同軸に形成され、この第１、第２アーム部３５ｄ、３５ｅが対向する前記側板３１ａの丸孔３１ｆと、側板３１ｂの長円孔３１ｇとにそれぞれ挿入されて第２連動部材３５が回転可能に支持されるようになっている。
【００７３】
また、基部３５ａと各第１、第２アーム部３５ｄ、３５ｅとの連結部から第１、第２アーム部３５ｄ、３５ｅと直交するように図示下方向に所定の半径：Ｒ１である半円板状の保持部となる半円板部３５ｆ、３５ｆが形成されている。この半円板状（半径：Ｒ１）の各半円板部３５ｆ、３５ｆの中心は、前記第１、第２アーム部３５ｄ、３５ｅの軸心と同一に成るように形成されている。
また、第１アーム部３５ｄの先端部には、部品操作部となる凸部３５ｇが突出して形成され、第２アーム部３５ｅの先端部の図示下方側には、部品操作部となる矩形の凸部３５ｈが突出して形成されている。
【００７４】
係止ピン３６は、例えば、金属材料や合成樹脂材料等から成り、略円柱状に形成されている。この係止ピン３６は、操作軸３４を第２連動部材３５の長溝３５ｂ内に配置し、操作軸３４の丸孔３４ｃと、第２連動部材３５の丸孔３５ｃとを対向させた状態で、丸孔３４ｃと丸孔３５ｃとに挿通し、操作軸３４を第２連動部材３５に回動可能に取り付ける。
【００７５】
保持基板３７は、例えば、合成樹脂材料から成り、成形加工によって、略矩形に形成され、中央部に丸孔３７ａを有している。この保持基板３７の上面には、前記第１連動部材３２の半円板状の半円板部３２ｃ、３２ｃの外周壁と、前記第２連動部材３５の半円板状の半円板部３５ｆ、３５ｆの外周壁とが当接した状態で、保持基板３７は、枠体３１内に収納・配置されている。なお、中央部に形成された丸孔３７ａは、必要に応じて無くても良い。
【００７６】
復帰バネ３８は、例えば、金属材料から成り、螺旋状（コイル状）に形成され、この復帰バネ３８は、枠体３１内に収納・配置され、枠体３１の下板３１ｅ上に載置されている。そして、この復帰バネ３８の上端部には、保持基板３７が載置され、この保持基板３７の上面には、第１連動部材３２と、第２連動部材３５とが当接した状態で配置され、復帰バネ３８の弾性力によって、保持基板３７を弾圧している。
【００７７】
押釦スイッチ３９は、内部のスイッチ回路（図示せず）をＯＮ（オン）／ＯＦＦ（オフ）することが出来るステム部３９ａと、内部のスイッチ回路を密閉するケース３９ｂと、このケース３９ｂの側面から下方に延びる複数本の取付端子３９ｃとが形成されている。このような押釦スイッチ３９は、枠体３１の部品押さえのための脚部３１ｈによって、枠体３１の側板３１ｂに取り付けられている。この状態のとき、押釦スイッチ３９のステム部３９ａは、第２連動部材３５の部品操作部３５ｈと対向して配置されている。
【００７８】
次に、この多方向入力装置の動作について説明する。
先ず、操作軸３４の摘み部３４ａに操作力が加わっていない無負荷のときは、復帰バネ３８の弾性力によって、保持基板３７が第１連動部材３２の半円板部３２ｃ、３２ｃと、第２連動部材３５の半円板部３５ｆ、３５ｆとの各外周壁に弾接されて、操作軸４が直立の中立状態（図１６参照）に保持されているものとする。
この中立状態の操作軸３４の摘み部３４ａに、矢印Ａ方向（図１６参照）の操作力を加えて、操作軸３４を傾動させると、第１連動部材３２が、円柱状の凸柱部３２ｂ、３２ｂを支点として回動し、所定の半径Ｒ１の半円板部３２ｃ、３２ｃが保持基板３７上を摺接移動し、操作軸３４が傾斜する。
【００７９】
この状態のとき、半円板部３２ｃ、３２ｃは、復帰バネ３８の弾性力によって、保持基板３７上に弾圧されるが、復帰バネ３８の収縮率は、半円板部３２ｃ、３２ｃが各凸柱部３２ｂの軸心を中心とした半円状（半径Ｒ１）に形成されていることから、前述の操作軸３４が直立の中立状態のときの復帰バネ３８の収縮率とほぼ同じ収縮率を維持し、安定（適度な）した弾性力を保持基板３７に与えている。
【００８０】
操作軸３４を傾動させて第１連動部材３２が回動すると、一方の凸柱部３２ｂの凸部３２ｄが係合している側板３１ｃに取り付けられている可変抵抗器３３の摺動子受け（図示せず）が回転して、可変抵抗器３３の抵抗値が変化する。
そして、側板３１ｃに取り付けられている可変抵抗器３３の操作が終了して、操作軸３４に加えていた操作力を解除すると、この状態の復帰バネ３８の収縮率は、操作軸３４が直立の中立状態のときの復帰バネ３８の収縮率とほぼ同じであることから、適度な弾性力を操作軸３４に与え、よって、操作軸３４が矢印Ａ方向に傾動された状態に維持される。
【００８１】
また、中立状態の操作軸３４に矢印Ａ方向に直交する操作力を加えて、操作軸３４を傾動させると、第２連動部材３５が第１、第２アーム部３５ｄ、３５ｅとを支点として回動し、所定の半径Ｒ１の半円部３５ｆ、３５ｆが保持基板３７上を摺接移動し、操作軸３４が傾斜する。この第２連動部材３５が回動すると、側板３１ａに取り付けられた部品操作部である凸部３５ｇが係合している可変抵抗器３３の摺動子受け（図示せず）が回転して、可変抵抗器３３の抵抗値が変化する。
そして、側板３１ａに取り付けられている可変抵抗器３３の操作が終了して、操作軸３４に加えていた操作力を解除すると、前述と同様に、この状態の復帰バネ３８の収縮率は、操作軸３４が直立の中立状態のときの復帰バネ３８の収縮率とほぼ同じであることから、操作軸３４が矢印Ａ方向に直交する方向に傾動された状態に維持される。
【００８２】
次に、押釦スイッチ９３の操作は、図１６に示す中立状態の操作軸３４を矢印Ｂ方向の下方に加重を加えて押圧する。すると、操作軸３４が下方に押圧・移動され、この操作軸３４の移動によって、前記枠体３１の側板３１ａの丸孔３１ｆに挿入されている第２連動部材３５の第１アーム部３５ｄを支点として、第２アーム部３５ｅが下方側に移動する。すると、枠体３１の側板３１ｂの略長円状の長円孔３１ｇから外方に突出している一端部の凸部３５ｈが押釦スイッチ３９のステム部３９ａを押圧して押釦スイッチ３９のＯＮ／ＯＦＦ操作をすることが出来る。前記操作軸３４の矢印Ｂ方向への押圧は、操作軸３４が中立状態だけではなく、操作軸３４を傾動させて、可変抵抗器３３の抵抗値が所定の値になった時点で押圧することが出来るようになっている。
【００８３】
本発明の多方向入力装置の第２の実施の形態では、第１連動部材３２の半円板部３２、３２ｃと、第２連動部材３５の半円板部３５ｆ、３５ｆとを所定の半径Ｒ１の半円状に形成したが、これに限定されず、操作軸３４が中立状態であるときに、各半円板部３２、３２ｃ、３５ｆ、３５ｆが保持基板３７に当接する位置、即ち、各半円板部３２、３２ｃ、３５ｆ、３５ｆの頂部である位置に、僅かな凹部、又は平坦部を形成しても良い。
【００８４】
この状態のとき、操作軸３４の中立状態が、半円板部３２、３２ｃ、３５ｆ、３５ｆに形成された僅かな凹部、又は平坦部によって、この凹部、又は平坦部が保持基板３７に平行に当接し、中立状態を検知可能となり、確実に維持することができる。
【００８５】
また、上述の本発明の多方向入力装置の第１の実施の形態では、操作体６を弾性付勢する復帰バネ７を操作軸４の筒部４ｃ内に配設したが、これに限定されず、例えば、操作体６の球面部６ｄと当接する側に操作軸４の軸心方向に移動可能に配設され、枠体内に配置された平板状の保持基板を設け、この保持基板の下面側に、保持基板を弾性付勢する復帰バネを配設して、保持基板を介して復帰バネによって操作体６を弾性付勢した構成としても良い。
【００８６】
【発明の効果】
以上のように、本発明の多方向入力装置は、復帰バネの弾性力で操作体の球面部が底板に弾接し、操作体の球面部の曲率半径の中心点が、ほぼ操作軸の傾動中心に位置するように配設されていることから、操作軸を傾動したときに、球面状の球面部の任意の位置が底板の内底面と接する際には、復帰バネによって、ほぼ一定の弾性力で、操作体を底板に付勢出来ることから、操作軸をどの方向に傾動しても一定で安定した適度な抗力を与えることが出来、同時に、可変抵抗器（電気部品）の回転トルクが、従来の多方向入力装置の可変抵抗器の回転トルクよりも軽い回転トルクであっても、センター位置に戻ることはなく、よって、任意の所定の位置（傾動位置）に操作軸を保持することが出来るという効果を奏する。
【００８７】
また、復帰バネが操作軸内に収納されていることから、復帰バネの高さ分だけ多方向入力装置の高さを低く出来ることから、多方向入力装置を小型化することが出来る。
【００８８】
また、操作体の球面部の中央部に円形に形成された凹部、又は平坦部を備えていることによって、この球面部の凹部、又は平坦部が底板の内底面と接する際には、操作軸の軸心が、枠体の上板に対して、所定の位置に配設されていることになり、この操作軸の所定の位置、例えば、中立位置を容易に検知できる様になる。そして、例えば、この位置における抵抗値が、所定の値であるか計測（検査）すれば、容易に製品毎の操作軸の傾動角度と、出力の特性とを一様にすることができる。
【００８９】
また、操作体の球面部に円形に形成された凹部を備えると共に、底板の内底面の球面部の凹部と当接する位置に円形に形成された凸部を備えていることによって、球面部の凹部と内底面の凸部とが当接することによって、操作軸の軸心が、枠体の上板に対して、一層確実に垂直に配設されていることになり、この操作軸の所定の位置、即ち、各可変抵抗器（電気部品）の各抵抗値の所定の位置（例えば、中立位置）が容易に確認することが出来る。また、垂直な操作軸を傾動すると、内底面の凸部上を球面部の凹部がずれることから、復帰バネを僅かに撓める必要があるので、復帰バネの弾圧力が僅かに増加し、よって、この増加した弾圧力にて操作軸の傾動位置が容易に検知可能となり、安定し易く、確実に位置決めが出来る。
【００９０】
また、本発明の多方向入力装置は、第１連動部材の両端部側に配設され、第１連動部材の回動中心と同心円状に形成された半円板状の保持部と、第１連動部材の長手方向と直交する方向に配設され、長溝を有すると共に、回動可能な第２連動部材と、第２連動部材の両端部側に配設され、第２連動部材の回動中心と同心円状に形成された半円板状の保持部と、第１連動部材の保持部と第２連動部材の保持部との各外周部がそれぞれ当接され、枠体内に収納される保持基板とを備えることによって、それぞれの保持部が保持基板上を回動中心と同心円状に摺接されることから、復帰バネによって、ほぼ一定の弾性力で、保持部を保持基板に付勢出来ることから、操作軸に適度な抗力を与えることが出来、可変抵抗器（電気部品）の回転トルクが、従来の多方向入力装置の可変抵抗器の回転トルクよりも軽い回転トルクであっても、センター位置に戻ることはなく、よって、任意の所定の位置（傾動位置）に操作軸を保持することが出来るという効果を奏する。
【００９１】
また、第１連動部材の保持部と第２連動部材の保持部の外周部とに凹部、又は平坦部を備えていることによって、この保持部の凹部、又は平坦部が保持基板と接する際には、操作軸の軸心が、枠体の下板に対して、所定の位置（例えば、垂直位置）に配設されていることになり、この操作軸の所定の位置、即ち、各可変抵抗器（電気部品）の各抵抗値の所定の値（例えば、中心位置での値）が容易に確認することが出来る。
【図面の簡単な説明】
【図１】本発明の多方向入力装置の実施の形態を示す分解斜視図である。
【図２】本発明の多方向入力装置の第２連動部材を示す上面図である。
【図３】本発明の多方向入力装置の第２連動部材を示す正面図である。
【図４】本発明の多方向入力装置の第２連動部材を示す左側面図である。
【図５】本発明の多方向入力装置の第２連動部材を示す右側面図である。
【図６】本発明の多方向入力装置の操作軸を示す上面図である。
【図７】本発明の多方向入力装置の操作軸を示す正面図である。
【図８】図６の８−８線による断面図である。
【図９】本発明の多方向入力装置の操作体を示す上面図である。
【図１０】本発明の多方向入力装置の操作体を示す正面図である。
【図１１】図９の１１−１１線による断面図である。
【図１２】本発明の多方向入力装置の実施の形態を示す要部断面図である。
【図１３】本発明の多方向入力装置の動作を説明するための要部断面図である。
【図１４】本発明の多方向入力装置の実施の形態を示す要部断面図である。
【図１５】本発明の多方向入力装置の第二の実施の形態を示す分解斜視図である。
【図１６】本発明の多方向入力装置の第二の実施の形態を示す要部断面図である。
【図１７】従来の多方向入力装置を示す縦断面図である。
【図１８】従来の多方向入力装置を示す横断面図である。
【符号の説明】
１    枠体
１ａ〜１ｄ  側板
１ｆ  操作孔
１ｇ  丸孔
１ｈ  支持部
１ｋ  端子
２    第１連動部材
２ａ  スリット孔
２ｂ  支持部
２ｃ  Ｕ字部（部品操作部）
３    可変抵抗器（電気部品）
４    操作軸
４ａ  摘み部
４ｃ  筒部
４ｆ  軸支部
４ｈ  先端部
５    第２連動部材
５ａ  支持部
５ｂ  側壁
５ｃ  長溝
５ｆ  第１アーム部
５ｇ  第２アーム部
５ｊ  凸部
５ｍ  凸部
６    操作体
６ａ  基部
６ｂ  ボス部
６ｃ  軸孔
６ｄ  球面部
７    復帰バネ
８    底板
８ａ  側板
８ｂ  内底面
８ｄ  ガイド部
９    押釦スイッチ（電気部品）
９ａ  ステム部
３１  枠体
３２  第１連動部材
３２ａ  スリット孔
３２ｃ  半円板部
３３  可変抵抗器（電気部品）
３４  操作軸
３５  第２連動部材
３５ｂ  長溝
３５ｆ  半円部
３７  保持基板
３８  復帰バネ
【図１】
0003746929.tif 000002
【図２】
0003746929.tif 000003
【図３】
0003746929.tif 000004
【図４】
0003746929.tif 000005
【図５】
0003746929.tif 000006
【図６】
0003746929.tif 000007
【図７】
0003746929.tif 000008
【図８】
0003746929.tif 000009
【図９】
0003746929.tif 000010
【図１０】
0003746929.tif 000011
【図１１】
0003746929.tif 000012
【図１２】
0003746929.tif 000013
【図１３】
0003746929.tif 000014
【図１４】
0003746929.tif 000015
【図１５】
0003746929.tif 000016
【図１６】
0003746929.tif 000017
【図１７】
0003746929.tif 000018
【図１８】
0003746929.tif 000019